(57)【要約】【課題】無駄な運転時間を省き、効率よく運転できる信頼性の高い食器洗い機を提供する。【解決手段】制御手段１４は、洗浄工程の初期に複数回、泡の異常発生を検知すると共に、泡の異常発生を検知した時間や回数などに応じて、洗浄槽１内からの排水および洗浄槽１への給水を行う減泡行程を動作させるもので、泡の異常発生を検知した時間や回数などから推量した泡の発生量に応じて、適切な減泡行程を行うことによって、使用者が誤って界面活性剤の含有率の高い洗剤を使用した場合でも、泡が外部に溢れ、それにより水漏れ検知装置１２が動作して、食器洗い機本体３０の運転が停止し、使用不可能状態になることが無い。【選択図】図１
2008212584.tif 000002
【特許請求の範囲】
【請求項１】
前方に開口部を有する食器洗い機本体内に設けた洗浄槽と、この洗浄槽内に配置した洗浄ノズルと、この洗浄ノズルに洗浄水を圧送するポンプ装置と、前記洗浄槽内への給水を行う給水装置と、前記洗浄槽内の水を排水する排水装置と、前記洗浄槽内の水位を検知する水位検知手段と、前記洗浄槽内の泡の異常発生を検知する泡検知手段と、前記複数の装置の動作を制御する制御手段とを備え、前記制御手段は、洗浄工程の初期に複数回、泡の異常発生を検知すると共に、泡の異常発生を検知した時間や回数などに応じて、前記洗浄槽内からの排水および前記洗浄槽への給水を行う減泡行程を動作させるようにした食器洗い機。
【請求項２】
前方に開口部を有する食器洗い機本体内に設けた洗浄槽と、この洗浄槽内に配置した洗浄ノズルと、この洗浄ノズルに洗浄水を圧送するポンプ装置と、前記洗浄槽内の蒸気を排気口より外部に排出する送風装置と、この送風装置と前記洗浄槽を連通させる送風経路と、前記洗浄槽内への給水を行う給水装置と、前記洗浄槽内の水を排水する排水装置と、前記洗浄槽内の水位を検知する水位検知手段と、前記洗浄槽内の泡の異常発生を検知する泡検知手段と、前記複数の装置の動作を制御する制御手段とを備え、前記制御手段は、洗浄工程の初期に少なくとも１回、泡の異常発生を検知するようにし、泡の異常発生を検知した場合は、その時点で、前記送風装置を所定の時間動作させると共に、前記洗浄槽内からの排水および前記洗浄槽への給水を行う減泡行程を動作させるようにした食器洗い機。
【請求項３】
泡検知手段は、水位検知手段の出力により洗浄槽内の泡の異常発生を検知するようにした請求項１または２に記載の食器洗い機。
【請求項４】
泡検知手段により泡の異常発生を検知した時間・検知した回数に応じて、泡の異常発生時に動作させる送風装置の運転時間を増減させるようにした請求項２または３に記載の食器洗い機。
【請求項５】
泡検知手段により泡の異常発生を検知した時間・検知した回数に応じて、泡の異常発生時に動作させる減泡行程の回数を増減させるようにした請求項１〜４のいずれか１項に記載の食器洗い機。
【発明の詳細な説明】
【技術分野】
【０００１】
本発明は、食器等の洗浄および乾燥を行う食器洗い機に関するものである。
【背景技術】
【０００２】
従来、この種の食器洗い機は、図３および図４に示すように構成されていた（例えば、特許文献１参照）。以下、その構成について説明する。図３は、上記特許文献１に記載された従来の食器洗い機の断面図、図４は、同食器洗い機の動作フローチャートである。
【０００３】
図３、４において、従来の食器洗い機の食器洗い機本体３０の前方には、開口部３０ａが設けられ、その開口部３０ａを通して洗浄槽１が出し入れ自在に取り付けられている。
【０００４】
洗浄槽１の底部中央に、洗浄ノズル２を回転自在に配設するとともにヒータ３を配設し、その上方には、食器４を収容する食器かご５を設けている。また、洗浄槽１は、配管１７を介して、その近傍に設けた水位検知槽６と連通しており、水位検知槽６内には、フロート部７が上下方向に移動可能に設けられ、フロート部７の上方には、フロート部７の上下方向の移動に連動して動作するスイッチ８が配設され、フロート部７とスイッチ８とで、水位を検知する水位検知手段が形成されている。
【０００５】
水位検知槽６には、排水配管９から分岐した補助配管１０が連通しており、排水時に水位検知槽６内をクリーニングする構成となっている。また、外箱１１の底部には、水漏れ検知装置１２を設け、水位検知槽６からの水漏れを検知する構成としている。
【０００６】
各運転行程の最初に、給水装置である給水弁１３より、洗浄槽１内へ水が供給されると、水位検知槽６内の水位の上昇に伴い、フロート部７が上昇し、所定の水位になるとスイッチ８がオン状態となり、制御手段１４によって、給水弁１３を閉じ、水の供給が止まる。
【０００７】
その後、洗浄槽１内の洗浄水は、ポンプ装置１５（以下「ポンプ１５」という）にて、排水口１６から吸い込まれ、洗浄ノズル２に圧送され、洗浄ノズル２より勢いよく噴射される洗浄水によって、食器かご５に収容された食器４を洗浄し、再び排水口１６より吸い込まれる。このような循環を繰り返しながらヒータ３によって温水化し、洗浄効果を上げるように構成している。
【０００８】
ポンプ１５は、上記のように洗浄ポンプとして機能すると共に、洗浄工程、すすぎ工程の各工程終了後、汚れた洗浄水を機外に排出する際に、吐出側を排水配管９に切り換えて、排水装置或いは排水ポンプとしても機能するものである。
【０００９】
また、特に、洗浄工程においては洗剤成分を多く含んだ洗浄水を循環させるため、泡が発生しやすい。したがって、洗浄水の循環による泡の発生を抑えるため、通常は界面活性剤の含有率の低い専用洗剤を用いるが、誤って界面活性剤の高い洗剤を投入して運転させた場合、洗浄水の循環が進むとともに泡が大量に発生する。泡はやがて、洗浄槽１に連通している水位検知槽６に移動し、スイッチ８が５秒間連続してオン状態になった場合には、泡の異常発生と判断し、排水動作および給水動作を行う減泡行程を規定回数実施する。このようにして、水位検知槽６から泡が溢れ、外箱１１の底部に設けられた水漏れ検知装置１２が働き、水漏れ状態となるのを防止している。
【特許文献１】特開２００３−２２０００９号公報
【発明の開示】
【発明が解決しようとする課題】
【００１０】
しかしながら、このような従来の食器洗い機の構成では、泡の発生度合にかかわらず規定回数だけ減泡工程を行うので、洗浄水中の界面活性剤の濃度が濃い場合は、規定の減泡行程を行っても界面活性剤が十分希釈されず、再び泡が発生するという課題を有していた。また、洗浄水中の界面活性剤の濃度が薄い場合でも、スイッチ８がオンして減泡行程に移行した場合には、規定回数減泡行程を行うので時間がかかり、結果、洗浄時間が長くなるとい課題を有していた。
【００１１】
また、洗浄水中の界面活性剤の濃度によっては、泡が急速に発生し、スイッチ８が５秒オン状態になる前に、洗浄槽１に連通している送風経路（図示せず）に浸入し、さらに泡が発生すると、送風装置（図示せず）に浸入し送風性能の低下、絶縁抵抗の低下を招くという課題を有していた。
【００１２】
また、泡の発生度合にかかわらず規定回数だけ減泡工程を行うので、洗浄水中の界面活性剤の濃度が濃い場合は、減泡行程を行っても界面活性剤が希釈されず、再び泡が発生し、同様に洗浄槽１に連通している送風経路に浸入し、さらに泡が発生すると、送風装置に浸入し送風性能の低下・絶縁抵抗の低下を招くという課題を有していた。
【００１３】
本発明は、上記従来の課題を解決するもので、使用者が誤って界面活性剤の含有率の高い洗剤を投入して運転させた場合でも、食器洗い機が使用不可能になるのを防ぐとともに、送風性能の低下を防ぎ、適切な時間で運転する信頼性の高い食器洗い機を提供することを目的とする。
【課題を解決するための手段】
【００１４】
上記従来の課題を解決するために、本発明の食器洗い機は、前方に開口部を有する食器洗い機本体内に設けた洗浄槽と、この洗浄槽内に配置した洗浄ノズルと、この洗浄ノズルに洗浄水を圧送するポンプ装置と、前記洗浄槽内への給水を行う給水装置と、前記洗浄槽内の水を排水する排水装置と、前記洗浄槽内の水位を検知する水位検知手段と、前記洗浄槽内の泡の異常発生を検知する泡検知手段と、前記複数の装置の動作を制御する制御手段とを備え、前記制御手段は、洗浄工程の初期に複数回、泡の異常発生を検知すると共に、泡の異常発生を検知した時間や回数などに応じて、前記洗浄槽内からの排水および前記洗浄槽への給水を行う減泡行程を動作させるようにしたもので、泡の異常発生を検知した時間や回数などから、泡の発生量が推量できるので、その泡の発生量に応じて、減泡行程を行うことによって、使用者が誤って界面活性剤の含有率の高い洗剤を投入して運転させた場合でも、泡が水位検知手段を備えた水位検知槽等から溢れ、それにより水漏れ検知装置が動作して、食器洗い機本体の運転が停止し、使用不可能状態になることが無い。また、泡の送風経路などへの浸入を防ぐことができるので、泡の浸入による送風量の低下、すなわち、乾燥性能の低下を防ぐことができ、さらに、泡の送風装置の充電部などへの付着による電気的絶縁性能の低下も防止することができる。また、洗浄水中の界面活性剤の濃度が低い場合に泡検知を行った場合は、泡の発生量も少ないので、減泡行程の回数を減らすなど、適切な減泡行程を行うことによって、無駄な運転時間を省き、効率的に食器洗い機を運転することできる。
【００１５】
また、本発明の食器洗い機は、前方に開口部を有する食器洗い機本体内に設けた洗浄槽と、この洗浄槽内に配置した洗浄ノズルと、この洗浄ノズルに洗浄水を圧送するポンプ装置と、前記洗浄槽内の蒸気を排気口より外部に排出する送風装置と、この送風装置と前記洗浄槽を連通させる送風経路と、前記洗浄槽内への給水を行う給水装置と、前記洗浄槽内の水を排水する排水装置と、前記洗浄槽内の水位を検知する水位検知手段と、前記洗浄槽内の泡の異常発生を検知する泡検知手段と、前記複数の装置の動作を制御する制御手段とを備え、前記制御手段は、洗浄工程の初期に少なくとも１回、泡の異常発生を検知するようにし、泡の異常発生を検知した場合は、その時点で、前記送風装置を所定の時間動作させると共に、前記洗浄槽内からの排水および前記洗浄槽への給水を行う減泡行程を動作させるようにしたもので、泡の異常発生を検知したときに送風装置を運転することで、送風経路に浸入した泡を洗浄槽内に戻すことができ、それによって、泡の浸入による送風量の低下、すなわち、乾燥性能の低下を防ぐことができ、さらに泡の送風装置の充電部などへの付着による電気的絶縁性能の低下も防止することができる。
【発明の効果】
【００１６】
本発明の食器洗い機は、泡の発生量に応じて、減泡行程を行うことによって、使用者が誤って界面活性剤の含有率の高い洗剤を投入して運転させた場合でも、泡が水位検知手段を備えた水位検知槽等から溢れ、それにより水漏れ検知装置が動作して、食器洗い機本体の運転が停止し、使用不可能状態になることが無い。また、泡の送風経路などへの浸入を防ぐことができるので、泡の浸入による送風量の低下、すなわち、乾燥性能の低下を防ぐことができ、さらに、泡の送風装置の充電部などへの付着による電気的絶縁性能の低下も防止することができる。また、洗浄水中の界面活性剤の濃度が低い場合に泡検知を行った場合は、泡の発生量も少ないので、減泡行程の回数を減らすなど、適切な減泡行程を行うことによって、無駄な運転時間を省き、効率的に食器洗い機を運転することできる。
【発明を実施するための最良の形態】
【００１７】
第１の発明は、前方に開口部を有する食器洗い機本体内に設けた洗浄槽と、この洗浄槽内に配置した洗浄ノズルと、この洗浄ノズルに洗浄水を圧送するポンプ装置と、前記洗浄槽内への給水を行う給水装置と、前記洗浄槽内の水を排水する排水装置と、前記洗浄槽内の水位を検知する水位検知手段と、前記洗浄槽内の泡の異常発生を検知する泡検知手段と、前記複数の装置の動作を制御する制御手段とを備え、前記制御手段は、洗浄工程の初期に複数回、泡の異常発生を検知すると共に、泡の異常発生を検知した時間や回数などに応じて、前記洗浄槽内からの排水および前記洗浄槽への給水を行う減泡行程を動作させるようにしたもので、泡の異常発生を検知した時間や回数などから、泡の発生量が推量できるので、その泡の発生量に応じて、減泡行程を行うことによって、使用者が誤って界面活性剤の含有率の高い洗剤を投入して運転させた場合でも、泡が水位検知手段を備えた水位検知槽等から溢れ、それにより水漏れ検知装置が動作して、食器洗い機本体の運転が停止し、使用不可能状態になることが無い。また、泡の送風経路などへの浸入を防ぐことができるので、泡の浸入による送風量の低下、すなわち、乾燥性能の低下を防ぐことができ、さらに、泡の送風装置の充電部などへの付着による電気的絶縁性能の低下も防止することができる。また、洗浄水中の界面活性剤の濃度が低い場合に泡検知を行った場合は、泡の発生量も少ないので、減泡行程の回数を減らすなど、適切な減泡行程を行うことによって、無駄な運転時間を省き、効率的に食器洗い機を運転することできる。
【００１８】
第２の発明は、前方に開口部を有する食器洗い機本体内に設けた洗浄槽と、この洗浄槽内に配置した洗浄ノズルと、この洗浄ノズルに洗浄水を圧送するポンプ装置と、前記洗浄槽内の蒸気を排気口より外部に排出する送風装置と、この送風装置と前記洗浄槽を連通させる送風経路と、前記洗浄槽内への給水を行う給水装置と、前記洗浄槽内の水を排水する排水装置と、前記洗浄槽内の水位を検知する水位検知手段と、前記洗浄槽内の泡の異常発生を検知する泡検知手段と、前記複数の装置の動作を制御する制御手段とを備え、前記制御手段は、洗浄工程の初期に少なくとも１回、泡の異常発生を検知するようにし、泡の異常発生を検知した場合は、その時点で、前記送風装置を所定の時間動作させると共に、前記洗浄槽内からの排水および前記洗浄槽への給水を行う減泡行程を動作させるようにしたもので、泡の異常発生を検知したときに送風装置を運転することで、送風経路に浸入した泡を洗浄槽内に戻すことができ、それによって、泡の浸入による送風量の低下、すなわち、乾燥性能の低下を防ぐことができ、さらに泡の送風装置の充電部などへの付着による電気的絶縁性能の低下も防止することができる。
【００１９】
第３の発明は、特に、第１または第２の発明の泡検知手段は、水位検知手段の出力により洗浄槽内の泡の異常発生を検知するようにしたもので、シンプルな構成で、洗浄槽内の水位の検知と、泡の異常発生の検知ができるので、信頼性の高い食器洗い機を提供できる。
【００２０】
第４の発明は、特に、第２または第３の発明の泡検知手段により泡の異常発生を検知した時間・検知した回数に応じて、泡の異常発生時に動作させる送風装置の運転時間を増減させるようにしたもので、例えば、泡の異常発生検知した時間・回数が少ない場合は、泡の発生が多いと推量し、送風手段の運転時間を長く、また、泡の異常発生を検知した時間・回数が多い場合は、泡の発生が少ないと推量し、送風手段の運転時間を短くして、送風経路に浸入した泡を確実に洗浄槽に戻すことによって、泡の浸入による送風量の低下、すなわち、乾燥性能の低下を防ぐことができ、また、泡の送風装置の充電部などへの付着による電気的絶縁性能の低下を防止することができる。
【００２１】
第５の発明は、特に、第１〜４のいずれか一つの発明の泡検知手段により泡の異常発生を検知した時間・検知した回数に応じて、泡の異常発生時に動作させる減泡行程の回数を増減させるようにしたもので、例えば、泡の異常発生検知した時間・回数が少ない場合は、泡の発生が多いと推量し、減泡行程の洗浄槽内からの排水および洗浄槽への給水の回数を多くし、泡の異常発生を検知した時間・回数が多い場合は、泡の発生が少ないと推量し、減泡行程の洗浄槽内からの排水および洗浄槽への給水の回数を少なくすることにより、洗浄槽内の泡の異常発生の度合に応じて減泡行程を行うことができる。したがって、使用者が誤って界面活性剤の含有率の高い洗剤を投入して運転した場合でも、泡が水位検知槽等から溢れ、それによって、水漏れ検知装置が動作して、食器洗い機本体の運転が停止し、使用不可能状態になるのを回避することができる。また、泡の送風経路への浸入を防ぐことによって、泡の浸入による送風量の低下、すなわち、乾燥性能の低下を防ぐことができ、泡の送風装置の充電部などへの付着による電気的絶縁性能の低下も防止することができる。また、洗浄水中の界面活性剤の濃度が低い場合に、泡検知を行った場合でも、減泡行程の回数を減らすなど、適切な減泡行程を行うことによって、無駄な運転時間を省き、効率よく食器洗い機を運転することできる。
【００２２】
以下、本発明の実施の形態について、図面を参照しながら説明する。なお、この実施の形態によって本発明が限定されるものではない。
【００２３】
（実施の形態１）
図１は、本発明の実施の形態１における食器洗い機の側断面図、図２は、同食器洗い機の動作フローチャートである。尚、従来例と同一部品については、同一符号を付してその説明を省略する。
【００２４】
図１において、本実施の形態における食器洗い機の洗浄槽１の排水口１６は、配管１７を介して水位検知槽６と連通している。また、１８は、洗浄槽１と連通する送風経路１９を経由して洗浄槽１に送風口２０から風を流入させる送風装置である。洗浄槽１の上方には、洗浄槽１内と外部を連通する排気口２１が設けられている。
【００２５】
乾燥行程において、送風装置１８によって、送風口２０から洗浄槽１に流入した風は、ヒータ３により温められ上昇し、ヒータ３の上方にある食器かご５に納められた食器４を温め、食器４の水分を蒸発させ、その蒸気とともに洗浄槽１の上方に配置された排気口２１より機外へ排出することによって食器４を乾燥させている。
【００２６】
上記のように構成された本実施の形態における食器洗い機の動作について、図２を参照にしながら説明する。
【００２７】
図２において、使用者が電源スイッチ２４を入れ、スタートスイッチ２５を入れると、給水弁１３が開き、洗浄槽１に水が供給される。それによって、洗浄槽１と連通している水位検知槽６内の水位が上昇するため、洗浄槽１の水位の上昇に伴ってフロート部７も上昇する。そして、所定の水位になるとスイッチ８がオン状態となり、制御手段１４によって給水弁１３を閉じ、水の供給が止まる。その後、洗浄槽１内の洗浄水は、ポンプ１５にて排水口１６から吸い込まれ、洗浄ノズル２に圧送され、洗浄ノズル２より勢いよく噴射される洗浄水によって、食器かご５に収容された食器４を洗浄し、再び排水口１６より吸い込まれる。このような循環を繰り返しながらヒータ３によって温水化し、洗浄効果を上げるように構成されている。
【００２８】
また、ポンプ１５が運転されると、洗浄槽１内の水を吸い込むため、洗浄槽１および水位検知槽６内の水位は下がり、スイッチ８はオフ状態になる。このとき、使用者が誤って界面活性剤の含有率の高い洗剤を用いた場合、洗浄水の循環が進むとともに泡が大量に発生し、泡はやがて洗浄槽１、洗浄ノズル２、ポンプ１５、排水口１６に浸入する。この状態でポンプ１５を停止すると、洗浄槽１および水位検知槽６の水位が戻り、スイッチ８が再びオン状態になるのであるが、ポンプ１５の停止からスイッチ８が再びオン状態になるまでに要する時間は、排水口１６および配管１７が泡で満たされその泡が抵抗となるので、泡が無い場合と比較して長くなる。したがって、泡の有無の判定時間を規定することによって泡検知を行うことができる。また、「背景技術」の欄で述べた従来の方法でも泡検知を行うことができる。
【００２９】
以上のように、本実施の形態では、フロート部７とスイッチ８とで、洗浄槽１内の水位を検知する水位検知手段を構成すると共に、洗浄槽１での泡の異常発生を検知する泡検知手段も兼ねており、それぞれの手段の動作の切り換えは、制御手段１４によって行なわれるようになっている。
【００３０】
そして、界面活性剤の含有率が高い洗剤ほど、洗浄水の循環による泡の発生が早い傾向にあるため、上記泡検知を洗浄工程の初期に複数回（図２ではＮ回）行うことにより、泡の発生度合を知ることができる。
【００３１】
つまり、泡検知１回目で泡発生を検知した場合が、泡の発生量が多量であり、泡検知２回目、・・・、Ｎ回目で検知するほど泡の発生量が少量であると推定できる。
【００３２】
これにより、洗浄槽１内からの排水および洗浄槽１への給水を行う減泡行程（図２のＡ〜Ｂのステップ）の回数Ｃ、Ｄ、・・・、Ｘを、泡検知１回目の場合に多く、泡検知２回目、・・・、Ｎ回目で検知するほど少なく、すなわち、Ｃ≧Ｄ≧・・・≧Ｘとすれば、泡の発生量が多量である場合は、大量の泡を機外へ排出させ、水位検知槽６等から外箱１１内に洗浄水が漏れることによる水漏れ検知装置１２の動作を防止することができる。また、洗浄槽１と連通している送風装置１８および送風経路１９に泡が浸入することも防止することができる。そして、泡の発生量が少量である場合は、減泡行程の回数を少なくすることで、泡検知を行った場合でも、通常の洗浄工程に早く戻すことができる。
【００３３】
また、洗浄槽１の泡が多量に発生すればするほど、送風口２０から送風経路１９を経由して送風装置１８に泡が浸入しやすくなるため、泡検知した後の送風装置１８の動作時間を泡検知１回目の場合に長く、泡検知２回目、・・・、Ｎ回目で検知するほど短くすれば、効率良く確実に送風装置１８および送風経路１９の泡を送風口２０から洗浄槽１に戻すことができる。
【００３４】
このように本実施の形態によれば、前方に開口部３０ａを有する食器洗い機本体３０内に洗浄槽１を設け、この洗浄槽１内に配置した洗浄ノズル２と、この洗浄ノズル２に洗浄水を圧送するポンプ１５と、洗濯槽１内に給水する給水弁１３と、洗浄槽１内の水位を水位検知槽６内のフロート部７が上下してスイッチ８をオンさせることで検知する水位検知手段と、前記複数の装置の動作を制御する制御手段１４とを備え、前記制御手段１４は、洗浄工程の初期に複数回、泡の異常発生を検知するように構成し、泡の異常発生を検知した時間・回数によって、泡の発生量を推量し、その発生量に応じて、前記洗浄槽１内からの排水および洗浄槽１への給水を行う減泡行程を行うことによって、使用者が誤って界面活性剤の含有率の高い洗剤を投入して運転させた場合でも、泡が水位検知槽６等から溢れ、水漏れ検知装置１２が動作することによる食器洗い機の使用不可能状態を回避することができる。
【００３５】
また、泡の送風経路１９への浸入を防ぐことによって、泡の浸入による送風量の低下、すなわち、乾燥性能の低下を防ぐことができ、泡の送風装置１８の充電部（図示せず）への付着による電気的絶縁性能の低下も防止することができる。また、洗浄水中の界面活性剤の濃度が低い場合に泡検知を行った場合は、少ない回数で減泡行程を行うことによって、無駄な運転時間を省き、効率よく食器洗い機を運転することできる。
【００３６】
また、前方に開口部３０ａを有する食器洗い機本体３０内に設けた洗浄槽１と、この洗浄槽１内に配置した洗浄ノズル２と、この洗浄ノズル２に洗浄水を圧送するポンプ１５と、前記洗浄槽１内の蒸気を排気口２１より排出する送風装置１８と、この送風装置１８と前記洗浄槽１を連通させる送風経路１９と、前記洗浄槽１内に給水する給水弁１３と、前記洗浄槽１内の水位を、水位検知槽６内のフロート部７が上下してスイッチ８をオンさせることで検知する水位検知手段と、前記複数の装置の動作を制御する制御手段１４とを備え、前記制御手段１４は、洗浄工程の初期に少なくとも１回、泡の異常発生を検知するように構成し、泡の異常発生を検知した場合は、泡検知をした時点で、前記送風装置１８を所定の時間動作させるとともに、前記洗浄槽１内からの排水および洗浄槽１への給水を行う減泡行程を動作させるようにしたことにより、送風経路１９に浸入した泡を洗浄槽１に戻して、泡の浸入による送風量の低下、すなわち、乾燥性能の低下を防ぐことができ、泡の送風装置１８の充電部などへの付着による電気的絶縁性能の低下も防止することができる。
【００３７】
また、本実施の形態における泡検知手段は、洗浄槽１内の水位を、水位検知槽６内のフロート部７が上下してスイッチ８をオンさせることで検知する水位検知手段の出力により、洗浄槽１内の泡の異常発生を検知するようにしているので、シンプルな構成で泡の異常発生が検知できるので、信頼性の高い食器洗い機を提供できる。
【００３８】
また、泡検知手段が泡の異常発生を検知した時間・回数によって、泡が異常発生したときに動作させる送風装置１８の時間を増減させるように構成し、泡の異常発生を検知した時間、回数が少ない場合は、泡の発生が多いと推量し、送風装置１８による送風時間を長くし、泡の異常発生を検知した時間・回数が多い場合は、泡の発生が少ないと推量し、送風装置１８による送風時間を短くして、送風経路１９に浸入した泡を確実に洗浄槽１に戻すことによって、泡の浸入による送風量の低下、すなわち、乾燥性能の低下を防ぐことができ、また、泡の送風装置１８の充電部の付着による電気的絶縁性能の低下を防止することができる。
【００３９】
また、制御手段１４を、泡検知手段が泡の異常発生を検知した時間・検知した回数によって、泡が異常発生したときに動作させる減泡行程の洗浄槽１内からの排水および洗浄槽１への給水の回数を増減させるように構成し、泡の異常発生検知した時間・回数が少ない場合は、泡の発生が多いと推量し、減泡行程の洗浄槽１内からの排水および洗浄槽１への給水の回数を多くし、泡の異常発生を検知した時間・回数が多い場合は、泡の発生が少ないと推量し、減泡行程の洗浄槽１内からの排水および洗浄槽１への給水の回数を少なくすることにより、洗浄槽１内の泡の発生度合に応じて減泡行程を行うことができる。
【００４０】
したがって、使用者が誤って界面活性剤の含有率の高い洗剤を投入して運転させた場合でも、泡が水位検知槽６等から溢れ、水漏れ検知装置１２が動作して、食器洗い機が使用不可能状態になるのを回避することができる。
【００４１】
また、泡の送風経路１９への浸入を防ぐことによって、泡の浸入による送風量の低下、すなわち、乾燥性能の低下を防ぐことができ、泡の送風装置１８の充電部等への付着などによる電気的絶縁性能の低下も防止することができる。また、洗浄水中の界面活性剤の濃度が低い場合に泡検知を行った場合でも、適切な減泡行程を行うことによって、無駄な運転時間を省き、効率よく食器洗い機を運転することができる。
【産業上の利用可能性】
【００４２】
以上のように、本発明に係る食器洗い機は、簡単な構成で、泡の大量発生を検知することができ、なおかつ、効率良く発生した泡を減ずることができる。また、水漏れ検知装置の動作による運転停止の防止、洗浄槽に連通している送風装置等の部品の電気的絶縁性能等を確保することができ、安全で信頼性の高いもので、食器洗い機に限らず、泡を発生させる洗濯機など各種機器に適用できる。
【図面の簡単な説明】
【００４３】
【図１】本発明の実施の形態１における食器洗い機の側断面図
【図２】同食器洗い機の動作フローチャート
【図３】従来の食器洗い機の側断面図
【図４】同食器洗い機の動作フローチャート
【符号の説明】
【００４４】
１  洗浄槽
２  洗浄ノズル
４  食器
７  フロート部（水位検知手段、泡検知手段）
８  スイッチ（水位検知手段、泡検知手段）
１２  水漏れ検知装置
１３  給水弁（給水装置）
１４  制御手段
１５  ポンプ（ポンプ装置、排水装置）
１８  送風装置
１９  送風経路
３０  食器洗い機本体
【図１】
2008212584.tif 000003
【図２】
2008212584.tif 000004
【図３】
2008212584.tif 000005
【図４】
2008212584.tif 000006